(57)【要約】【課題】  操作性の自由度を獲得しながら、魚の当たりを捉えやすくする釣り竿を提供する点にある。【解決手段】  プリプレグシートをマンドレルに巻回して、焼成後所定長に裁断して中空状竿体１Ｃを構成する。この中空状竿体１Cの外周面に釣糸ガイド３を装着する。一方、金属製の錘２を中空状竿体１Ｃの内部空間１ａの内周壁に沿った円錐台状に形成する。この形成した円錐台状の錘２を竿尻開口より内部空間１ａ内に差込み、錘２を内周壁に接着固定する。【選択図】        図１
2006141284.tif 000002
【特許請求の範囲】
【請求項１】
中空状竿体の外周面に釣糸ガイドを装着するとともに、その中空状竿体の内部空間の軸線方向の一部に、高比重物を装着している釣り竿用の竿体。
【請求項２】
前記高比重物が金属製の錘である請求項１記載の釣り竿用の竿体。
【請求項３】
中実状竿体の外周面に釣糸ガイドを装着するとともに、その中空状竿体の外周面の軸線方向の一部に、高比重板状体を巻付装着している釣り竿用の竿体。
【請求項４】
前記中実状竿体が軸線に沿って束ねた強化繊維の束を樹脂液内に潜らせて樹脂を含浸させた後ダイスより引き抜き所定長さに裁断したものであり、高比重板状体が前記中実状竿体の強化繊維より高比重の強化繊維に熱硬化性樹脂を含浸させたプリプレグを巻回して形成されたものである請求項３記載の釣り竿用の竿体。
【請求項５】
前記中空状竿体が穂先竿であり、前記穂先竿の竿先端部を竿尻側に一定長さの同一外径のトップガイド装着部を形成するとともに、前記トップガイド装着部より竿尻側部分を外径が大径化するテーパ状のものに形成してある請求項１または２記載の釣り竿用の竿体。
【請求項６】
前記中実状竿体が穂先竿であり、前記穂先竿の竿先端部を竿尻側に一定長さの同一外径のトップガイド装着部を形成するとともに、前記トップガイド装着部より竿尻側部分を外径が大径化するテーパ状のものに形成してある請求項３または４記載の釣り竿用の竿体。
【発明の詳細な説明】
【技術分野】
【０００１】
本発明は、外周面に釣糸ガイドを装着した穂先竿等に使用される釣り竿用の竿体に関する。
【背景技術】
【０００２】
釣り竿の穂先竿等は、炭素繊維等の強化繊維を引き揃えて、その引き揃え強化繊維にエポキシ等の熱硬化性樹脂を含浸させて形成したプリプレグシートを、所定のテーパ形状をしたマンドレルに巻き付けて、焼成して形成されている（特許文献１参照）。
【０００３】
【特許文献１】特開２００２−３３５８１７号公報（段落番号〔００２９〕及び、図７等）
【発明の開示】
【発明が解決しようとする課題】
【０００４】
上記したように、プリプレグを巻回して形成した竿体は、プリプレグ固有の剛性を持つことになり、竿の調子が決まっている。
したがって、竿の曲がりが決まったものになるので、操作性の自由度が低い面があった。また、魚の当たりを捉え易くする為に、極端に先調子の穂先竿を構成すると、横風を受けても竿先が曲がり易くなって、却って、当たりを捉え難くなっている。
【０００５】
本発明の目的は、操作性の自由度を獲得しながら、魚の当たりを捉えやすくする釣り竿の竿体を提供する点にある。
【課題を解決するための手段】
【０００６】
〔構成〕
請求項１に係る発明の特徴構成は、中空状竿体の外周面に釣糸ガイドを装着するとともに、その中空状竿体の内部空間の軸線方向の一部に、高比重物を装着している点にあり、その作用効果は次の通りである。
【０００７】
〔作用〕
釣りを行っている際に、手元竿を僅かに上下左右に振り動かす操作をしても、高重量物の慣性力によって、高比重物を装着した竿体の振動が大きくかつ加振力を加えられた手元竿とは異なる位相で振動を行うことになり、竿の調子が一定のものに限定されることがない。
また、魚の当たりがあると、高比重物の慣性力で大きく竿体が振動し、小さな当たりであっても容易に捉えることができる。但し、横風等を受けても、竿体全体にその横風が作用し、高比重物が腰の強さを発揮するので、竿先端に作用する魚の当たりを受けた場合程は、竿体は撓みを生じない。
【０００８】
〔効果〕
釣り竿に単純でない調子を備えさせることができ、このことが竿操作の自由度と楽な操作を可能にするとともに、当たりも捉え易く、横風等の外乱に強い釣り竿を提供できるに至った。
【０００９】
請求項２に係る発明の特徴構成は、前記高比重物が金属製の錘である点にあり、その作用効果は次の通りである。
【００１０】
〔作用効果〕
高比重物が金属製の錘であるところから、中空状の竿体内に収納する際や高比重物を製作する際に取扱いが容易である。
【００１１】
請求項３に係る発明の特徴構成は、中実状竿体の外周面に釣糸ガイドを装着するとともに、その中空状竿体の外周面の軸線方向の一部に、高比重板状体を巻付装着している点にあり、その作用効果は次の通りである。
【００１２】
〔作用効果〕
ここで、重量板状体を中実竿体の外周面に巻き付けることは、請求項１，２で記載した高比重物を中空竿体内に設けた場合と同様の作用効果を奏する。
【００１３】
請求項４に係る発明の特徴構成は、前記中実状竿体が軸線に沿って束ねた強化繊維の束を樹脂液内に潜らせて樹脂を含浸させた後ダイスより引き抜き所定長さに裁断したものであり、高比重板状体が前記中実状竿体の強化繊維より高比重の強化繊維に熱硬化性樹脂を含浸させたプリプレグを巻回して形成されたものである点にあり、その作用効果は次の通りである。
【００１４】
〔作用効果〕
請求項３に係る発明と同一の作用効果を奏する。つまり、高比重物と同様の慣性効果を高めるために、中実状竿体に使用された強化繊維よりは高比重の強化繊維を使用したプリプレグを巻回することによって、上記した作用効果を中実状竿体でも達成することができた。
【００１５】
請求項５に係る発明の特徴構成は、前記中空状竿体が穂先竿であり、前記穂先竿の竿先端部を竿尻側に一定長さの同一外径のトップガイド装着部を形成するとともに、前記トップガイド装着部より竿尻側部分を外径が大径化するテーパ状のものに形成してある点にあり、その作用効果は次の通りである。
【００１６】
〔作用効果〕
請求項１，２に対応した作用効果に加えて次ぎのような作用効果を奏する。つまり、中空状の穂先竿を外径が竿尻側程大径化するテーパ状のものに形成しながら、竿先端部を一定外径のものに形成して、トップガイドを密着性よくその装着部に嵌め込むことができ、トップガイドの装着状態を強固で安定したものにできる。
【００１７】
請求項６に係る発明の特徴構成は、前記中実状竿体が穂先竿であり、前記穂先竿の竿先端部を竿尻側に一定長さの同一外径のトップガイド装着部を形成するとともに、前記トップガイド装着部より竿尻側部分を外径が大径化するテーパ状のものに形成してある点にあり、その作用効果は次の通りである。
【００１８】
〔作用効果〕
請求項５に係る発明と同一の作用効果を奏する。つまり、トップガイドの装着状態を強固で安定したものにできるトップガイド装着部を、中実状竿体に対しても施すことができた。
【発明を実施するための最良の形態】
【００１９】
〔第１実施形態〕
穂先竿１として中空状竿体内に高比重物としての錘２を収納するものについて説明する。図１及び図２に示すように、炭素繊維等の強化繊維を竿の周方向に引き揃え、引き揃え強化繊維にエポキシ等の熱硬化性樹脂を含浸させたプリプレグシートを所定のパターンに裁断したものを二枚用意する。前記したプリプレグシートと強化繊維の引き揃え方向が異なるもの、つまり、引き揃え方向を竿の軸線方向に設定したプリプレグシートを所定のパターンに裁断したものを、前記した二枚のもので挟み込むようにする。
【００２０】
前記した３枚のパターンを重ねて、マンドレルに巻回して、焼成後所定長に裁断して中空状竿体１Ｃを構成する。一方、金属製の錘２を中空状竿体１Ｃの内部空間１ａの内周壁に沿った円錐台状に形成する。この形成した円錐台状の錘２を竿尻開口より内部空間１ａ内に差込み、錘２を内周壁に接着固定する。これによって、中空状竿体１Ｃの内部空間１ａの軸線方向の一部に、高比重物としての錘２を装着することができる。中空状竿体１Ｃに対して後記するトップガイド４及び釣糸ガイド３等を装着し仕上塗装等を施して穂先竿１を構成する。
【００２１】
〔第２実施形態〕
穂先竿１として中実状竿体１Ｄに高比重物としての高比重板状体９を巻回するものについて説明する。図には示していないが、中実状竿体１Ｄについては次ぎのように製作する。竿の軸線方向に沿って束ねた炭素繊維等の強化繊維の束を熱硬化性樹脂の液内に潜らせて樹脂を含浸させた後ダイスより引き抜く。引き抜いた棒状体に対して竿尻側程大径化するテーパ状の外周面に研磨加工を施し、研磨加工後所定長さに裁断して、中実状竿体１Ｄを構成する。
【００２２】
一方、高比重板状体９を製作する為に、炭素繊維等より高比重であるタングステン繊維等を導入する。そして、このタングステン繊維をクロスに配向し、その配向したタングステン繊維にエポキシ等の熱硬化性樹脂を含浸させて、高比重板状体９してのプリプレグシートを形成する。そして、図３（イ）（ロ）に示すように、所定のパターンに裁断した高比重板状体９を前記した中実状竿体１Ｄの外周面の軸線方向中間位置に巻回する。高比重板状体９としてのプリプレグシートを巻回した中実状竿体１Ｄに対して後記するトップガイド４及び釣糸ガイド３等を装着し仕上塗装等を施して穂先竿１を構成する点は、中空状竿体と同一である。
【００２３】
〔第３実施形態〕
前記した二つの実施形態に加えて、次ぎのような形態を加えたものを説明する。つまり、穂先竿１におけるトップガイド４の取り付け部分の改良について説明すると、図４及び図５に示すように、トップガイド４のボス部４Ａの内周面形状に合わせて、穂先竿１の竿先端部の軸線方向一定長さに亘って同一外径の円筒面を形成し、この円筒面部をトップガイド装着部６Ｃとする。
【００２４】
前記したトップガイド装着部６Ｃの形成方法について説明する。図示していないが、マンドレルの竿先端部に同一外径の円筒面部分を形成するとともに竿尻側に軸線方向に長い緩傾斜テーパ部を形成する。
一方、マンドレルに巻回するプリプレグシートとしてはつぎのようなものを用意する。炭素繊維等の強化繊維を竿の周方向に引き揃え、引き揃え強化繊維にエポキシ等の熱硬化性樹脂を含浸させたプリプレグシートを所定のパターンに裁断したものを二枚用意する。前記したプリプレグシートと強化繊維の引き揃え方向が異なるもの、つまり、引き揃え方向を竿の軸線方向に設定したプリプレグシートを所定のパターンに裁断したものを、前記した二枚のもので挟み込むようにする。
【００２５】
ここに、パターン形状としては、マンドレルの形状に合わせて、竿の周方向に対応する横幅を一定にした定幅部分と緩傾斜面を備えた緩傾斜部とを備えるように、変形パターンが採用されている。
これら３枚のパターンを重ねてマンドレルに巻回し、中空状竿体６を構成する。中空状竿体６を形成後、その中空状竿体６の竿先端部を同一外径の円筒状部分ができ、トップガイド装着部６Ｃを形成する。
【００２６】
以上のように、トップガイド装着部６Ｃの外周面とトップガイド４のボス部４Ａの内周面とが同一径の円筒面に形成されているので、トップガイド４をトップガイド装着部６Ｃに外嵌装着した場合に、隙間なく装着することができる。トップガイド４を装着した中空状竿体６に塗装等を施して穂先竿１を構成する。
この第３実施形態としては、第１実施形態や第２実施形態で示した錘２や高比重板状体９を設けなくてもよい。
【００２７】
〔第４実施形態〕
ここでは、第３実施形態で示した中空状竿体６にトップガイド装着部６Ｃを形成するのに代えて、中実状竿体７にトップガイド装着部７Ｃを施すことを説明する。前記したように、竿の軸線方向に沿って束ねた炭素繊維等の強化繊維の束を熱硬化性樹脂の液内に潜らせて樹脂を含浸させた後ダイスより引き抜く。引き抜いた棒状体に対して竿尻側程大径化するテーパ状の外周面に研磨加工を施し、研磨加工後所定長さに裁断して、中実状竿体７を構成する。この中実状竿体７の竿先側部分には、トップガイド装着部７Ｃを形成すべく、外径を一定にした円柱状の同一外径部を研磨して形成する。
【００２８】
以上のように、円柱状の同一外径部に形成したトップガイド装着部７Ｃにトップガイド４を取り付けることによって、トップガイド４のボス部４Ａの内周面と円柱状の同一外径部との密着度を高くしてトップガイド４を取り付けることができる。
この第３実施形態としては、第１実施形態や第２実施形態で示した錘２や高比重板状体９を設けなくてもよい。
【００２９】
〔別実施形態〕
（１）  錘２としては、高比重であるステンレス等を材料とするのがよいが、これに相当する比重を有するものであればよい。
（２）  穂先竿１に錘１１を取り付けるものについて説明する。図６（イ）（ロ）に示すように、プリプレグ製の穂先竿１の略半分の長さの第１中空状竿体１０Ａと第２中空状竿体１０Ｂを用意し、錘２を両中空状竿体１０Ａ、１０Ｂとで挟み込み、第１中空状竿体１０Ａ、錘１１、第２中空状竿体１０Ｂとを軸線方向に順次連結して穂先竿１を構成する。この場合に、錘１１と両中空状竿体１０Ａ、１０Ｂとを連結するために、錘１１の竿先側と竿尻側とに嵌合用の突出部１１Ａ、１１Ｂを形成するとともに、第１中空状竿体１０Ａの竿尻端、及び、第２中空状竿体１０Ｂの竿先端に、前記突出部１１Ａ、１１Ｂを内嵌合する嵌合孔１０ａ、１０ｂを形成する。
このような構成により、突出部１１Ａを嵌合孔１０ａに、突出部１１Ｂを嵌合孔１０ｂに嵌合させ接着固定することによって、両中空状竿体１０Ａ、１０Ｂの間に錘１１を挟み込み固定することができる。接着固定した後には、両中空状竿体１０Ａ、１０Ｂと錘１１の外周面とが滑らかに繋がるように研磨加工等を施す。
第１、第２中空状竿体１０Ａ、１０Ｂの代わりに、中実状竿体を使用してもよい。
（３）  上記実施形態では、錘２や高比重板状体９を施す対象として、穂先竿１だけについて施す場合を説明したが、二番竿や三番竿等に施してもよい。
（４）  第２実施形態においては、高比重板状体９として、タングステンを強化繊維とするプリプレグを採用したが、高比重板状体９として鉄製の輪体を中実状竿体１Ｄに外嵌固着するようにしてもよい。
【図面の簡単な説明】
【００３０】
【図１】中空状竿体の内部に錘を収納装着した状態を示し、（イ）は穂先竿の側面図、（ロ）は（イ）の要部拡大断面図
【図２】中空状竿体の内部に錘を収納する状態を示し、（イ）は収納前の状態を示す斜視図、（ロ）は収納後の状態を示す斜視図
【図３】中実状竿体に高比重プリプレグを巻き付けた状態を示し、（イ）は巻付け前の状態を示す斜視図、（ロ）は巻付け後の状態を示す斜視図
【図４】トップガイドを円筒状の同一外径部に形成したトップガイド装着部に装着する状態を示し、（イ）は装着する前の状態を示す縦断側面図、（ロ）は装着した状態を示す縦断側面図
【図５】トップガイドを円柱状の同一外径部に形成したトップガイド装着部に装着する状態を示し、（イ）は装着する前の状態を示す縦断側面図、（ロ）は装着した状態を示す縦断側面図
【図６】穂先竿の二分割して、その二分割した竿体同士の間に錘を挟み込み固定する状態を示し、（イ）は装着する前の状態を示す側面図、（ロ）は装着した状態を示す縦断側面図
【符号の説明】
【００３１】
１                        穂先竿
１Ｃ、６、１０Ａ、１０Ｂ  中空状竿体
１Ｄ                      中実状竿体
２、１１                  錘
３、４                    釣糸ガイド
６Ｃ、７Ｃ                トップガイド装着部
９                        高比重板状体
【図１】
2006141284.tif 000003
【図２】
2006141284.tif 000004
【図３】
2006141284.tif 000005
【図４】
2006141284.tif 000006
【図５】
2006141284.tif 000007
【図６】
2006141284.tif 000008